(57)【要約】【課題】背面側から収容した資料に関する情報の目視確認が容易なクリアファイルを提供する。【解決手段】この考案のクリアファイルは、合成樹脂製の矩形のシート２を折曲げて重ね合わせたファイル１であって、折曲端３に沿った縦長の矩形でシート面に対して直交方向に折曲げて起立され、表示面がファイル１の背側に向けられる見出し用のフラップ８を形成すべく切込線９を上記シート２の折曲端３側に設けている。  上記シート２を構成する表シート２ａと裏シート２ｂの折曲端３を中心として表裏の両シート２ａ，２ｂで互いに重なり合う位置及びサイズでフラップ８を形成すべく上記切込線９を設け、上記折曲端３上に上記表裏のフラップ８の上下端をシート側に繋ぎ止めるトメ９ａを切残し形成し、表裏のフラップ８を起立させた状態で両フラップ８がシート２に対し平面視でＴ字状に形成される。【選択図】図３
0003215134.tif 000002
【実用新案登録請求の範囲】
【請求項１】
合成樹脂製の矩形のシート（２）を折曲げて重ね合わせたファイル（１）であって、折曲端（３）に沿った縦長の矩形でシート面に対して直交方向に折曲げて起立され、表示面がファイル（１）の背側に向けられる見出し用のフラップ（８）を形成すべく切込線（９）を上記シート（２）の折曲端（３）側に設けてなる背面見出し付クリアファイル。
【請求項２】
シート（２）を構成する表シート（２ａ）と裏シート（２ｂ）の折曲端（３）を中心として表裏の両シート（２ａ），（２ｂ）で互いに重なり合う位置及びサイズでフラップ（８）を形成すべく上記切込線（９）を設け、上記折曲端（３）上に上記表裏のフラップ（８）の上下端をシート側に繋ぎ止めるトメ（９ａ）を切残し形成し、表裏のフラップ（８）を起立させた状態で両フラップ（８）がシート（２）に対し平面視でＴ字状に形成される請求項１に記載の背面見出し付クリアファイル。
【請求項３】
フラップ（８）を形成する上下方向の切込線（９）上に、フラップ（８）の切起し前はフラップ（８）をシート（２）側に繋ぎ止め、切起し時に千切り取り可能なトメ（９ｂ）を切残し形成した請求項１又は２に記載の背面見出し付クリアファイル。
【請求項４】
フラップ（８）の表面又は内面側をファイルされる書類その他の資料（６）の内容に関する表示を施す表示面とした請求項１〜３のいずれかに記載の背面見出し付クリアファイル。
【請求項５】
フラップ（８）を折曲端（３）に沿って上下方向に複数段付設してなる請求項１〜４のいずれかに記載の背面見出し付クリアファイル。
【考案の詳細な説明】
【技術分野】
【０００１】
この考案は、背面側から視認可能な表示面を備えた背面見出し付クリアファイルに関する。
【背景技術】
【０００２】
従来中心部を境に矩形状に折重ねられて下端辺がヒートシールされ、折曲げ端の反対側がシート状資料を差し入れる開放部となっているクリアファイルが広く知られているが、この種のクリアファイルの折曲端（背面端）側に伸展させて突出させることにより、見出しフラップを形成する切込をファイルの折曲端に形成するものとして特許文献１，２が公知である。
【先行技術文献】
【特許文献】
【０００３】
【特許文献１】特開２００６−３１２２９４号公報
【特許文献２】特開２０１０−２８０１８４号公報
【考案の概要】
【考案が解決しようとする課題】
【０００４】
しかし上記特許文献１，２の発明の見出し用フラップは、いずれも切込線に沿って部分的に切離した後に折曲端の折目を伸展させてファイルの背側に突出させるもので、ここに見出しを表示しても背面側からは確実に視認することが出来ず、横方向からその突出した側面を目視確認する他はない。
【０００５】
また、フラップの形成位置の高さが均一な場合は、側面から見ると他のフラップと重なり合って視認し辛いという欠点がある。
【課題を解決するための手段】
【０００６】
上記のような課題を解決し、特に背面側から目視した際にファイル内の資料に関する情報確認がし易い見出し用フラップを提供するものであり、次の特徴を有する。
【０００７】
第１に、合成樹脂製の矩形のシート２を折曲げて重ね合わせたファイル１であって、折曲端３に沿った縦長の矩形でシート面に対して直交方向に折曲げて起立され、表示面がファイル１の背側に向けられる見出し用のフラップ８を形成すべく切込線９を上記シート２の折曲端３側に設けてなることを特徴としている。
【０００８】
第２に、シート２を構成する表シート２ａと裏シート２ｂの折曲端３を中心として表裏の両シート２ａ，２ｂで互いに重なり合う位置及びサイズでフラップ８を形成すべく上記切込線９を設け、上記折曲端３上に上記表裏のフラップ８の上下端をシート側に繋ぎ止めるトメ９ａを切残し形成し、表裏のフラップ８を起立させた状態で両フラップ８がシート２に対し平面視でＴ字状に形成されことを特徴としている。
【０００９】
第３に、フラップ８を形成する上下方向の切込線９上に、フラップ８の切起し前はフラップ８をシート２側に繋ぎ止め、切起し時に千切り取り可能なトメ９ｂを切残し形成したことを特徴としている。
【００１０】
第４に、フラップ８の表面又は内面側をファイルされる書類その他の資料６の内容に関する表示を施す表示面としたことを特徴としている。
【００１１】
第５に、フラップ８を折曲端３に沿って上下方向に複数段付設してなることを特徴としている。
【考案の効果】
【００１２】
以上のように構成される本考案のクリアファイルは以下に述べるような効果を奏する。
（１）フラップは切込線に沿って引起す前はシートに沿った状態で通常のファイルとして使用でき、切込線に沿って部分的に切離してファイル表面に直交する方向に引起した状態では、フラップ面は背面側を向くので、ここにファイル資料情報を表示すれば、別体のインデックスや付箋を貼付する必要もなく、より詳しく表示された資料情報の確認がより正確にできる利点がある。
【００１３】
特に折曲げられた折目を境にして表裏のシートに対称形のフラップを切残し成形したものでは、ファイルに対してフラップが、平面視Ｔ字形に形成されるので、背面への露出面積も大きく視認し易いほか、より詳しい情報表示が可能になる。
【００１４】
（２）上下方向の切込線上に千切り取り可能なトメを形成することにより、通常のファイルとして使用する時で、シート状資料を差込む際に、フラップの縦方向の辺にシート状資料の差込端が当接して差込の妨げになるという問題が防止される。また側方に向って折曲げられたフラップの表面又は内面（透明なシートの場合）直接記入や印刷をし又は表示シール等を貼着して、背面側より容易に視認できるフラップとして利用できる。
【００１５】
その他折曲端に沿って上下複数段のフラップを切込形成した場合、いずれかの段のフラップを選択して見出し表示することにより、隣接する見出しの表示が背面視で重なり合って視認を妨げることを防止できる。
【図面の簡単な説明】
【００１６】
【図１】本考案のクリアファイルの正面斜視図である。
【図２】同じくクリアファイルの正面図である。
【図３】（Ａ）は見出し部分の切込線を示す正面拡大図、（Ｂ）は同じく切込み線に沿って切起した状態の拡大図である。
【図４】見出し部分を複数段設けた第２実施例のクリアファイルの正面図である。
【図５】多数のファイルを収納した状態における一部の見出し部分を切起した状態の第２実施例の使用形態を示す背面図である。
【考案を実施するための形態】
【００１７】
図面は本考案の実施形態を示し、このうち図１〜図３は第１実施形態を示している。ここに示すファイル１は、プラスチックフィルム製の横長の矩形のシート２を中央の折目（折曲端）３に沿って折畳んで重ね合わせた表シート２ａと裏シート２ｂからなり、縦長の矩形に重ね合わせた状態の下端辺はヒートシール等により固着した固着部４を形成し、上辺と一方の側辺（差込端）をそれぞれシート状のファイル資料６を差込む開放部とした在来のクリアファイルと同一のものである。表シート２ａの側辺開放端の上方及び下部には、従来同様にそれぞれ切欠部７ａ，７ｂが設けられている。
【００１８】
図１〜図３に示す例では、ファイル１の折曲端３側上方には、表シート２ａ，裏シート２ｂにおいて互いに重なり合うように折曲端３に沿った帯状（短冊状）の長方形に切込形成される見出し用のフラップ８が設けられている。このフラップ８は、表裏のシート２ａ，２ｂに横向きの（折曲端側に向いた）チャンネル状の切込線９によって形成され、この切込線９に沿って折曲端３を残して外向きに略直角に切起すことによって、表面がファイル１の背側に向けられる見出し用の縦長の２つの長方形フラップとして形成される。
【００１９】
即ち、フラップ８はファイル１の表面に対して直角方向に起立形成され、ファイル１の背側では折目３を中心に左右対称な縦長の長方形が組合わされた状態に形成される。そして上記フラップ８の表裏いずれかの面に、背側から視認できるファイル資料６に関する内容その他の見出し用の情報を直接書込み又は書込みシールの貼着等によって表示することによって、見出しとして機能する。但し、ファイル１のシート２の透明性が乏しい場合は、フラップ８の表面側のみが表示面となることもあり得る。
【００２０】
また上記のように切込線９によってフラップ８をファイル１側に切残した状態で形成するためには、切起し前又は見出しを必要としない通常のファイル使用状態では、フラップ８部分はシート２の一部として一体的に保持される必要がある。
【００２１】
このため横向きのチャンネル形状の切込線９の折曲端３側の上下の開放端と折曲端３との間には、フラップ８を切起してもファイル１と切離さず繋ぎ止めておくためのトメ９ａが切残されて形成されている。またフラップ８を形成する開放部側の縦方向の切込線の上下方向中央には、フラップ切起し前は表裏のシート２ａ，２ｂ側に繋ぎ止められており、フラップ切起し時にはファイル表面又は裏面側から押圧して千切り取れるように僅かな寸法のトメ９ｂが切残し形成されている。
【００２２】
そして折曲端３側のトメ９ａは、フラップ切起し後もフラップ８の繋ぎ止め状態を保持するように切残し幅Ｓ１を長目（例えば１ｍｍ程度）に、他方の縦辺側のトメ９ｂの切残し幅Ｓ２は、比較的簡単に引き千切れるように狭目（例えば０．５ｍｍ程度）に設定されている。尚、上記縦辺側のトメ９ｂを切残すことにより、切起し前のフラップ８は表裏シート２ａ，２ｂに沿って一体的に同一平面上に保持されているため、フラップ８を切起さないで用いる通常のファイル使用の際は、ファイル内面におけるフラップ８の縦辺の突出により、開放部から差込まれるファイル資料６の差込端が当接して挿入の妨げになる等のトラブルが防止できる。
【００２３】
図４，図５はファイル１の折曲端３側に対し、上下複数段（図示する例では３段）に、所定の高さ毎にフラップ８を形成した例を示しており、これによって図５に示すように多数のファイル１をラックやケース内等（図示しない）に横方向に並べ重ねて整置する場合でも、隣接するファイル間では異なる位置のフラップ８を切起して使用することにより、隣接するファイル同士の見出しが重なり合わないように使用できる利点があり、汎用性も向上する。
【符号の説明】
【００２４】
１    ファイル
２    シート
２ａ  表シート
２ｂ  裏シート
３    折曲端
６    資料
８    フラップ
９    切込線
９ａ，９ｂ  トメ
【図１】
0003215134.tif 000003
【図２】
0003215134.tif 000004
【図３】
0003215134.tif 000005
【図４】
0003215134.tif 000006
【図５】
0003215134.tif 000007